(57)【要約】【課題】吸収保持された体液等が発する複数種類の臭気成分を効率よく除去して、優れた消臭効果を奏する体液吸収体を提供する。【解決手段】本実施形態の体液吸収体によれば、肌面側シートと非肌面側シートとの間で挟持されている吸収層にリモナイトが内包されているため、複数の消臭剤成分を必要とすることなく、吸収保持された体液等が発する硫化水素やアンモニア等の複数種類の臭気成分を効率よく除去できる。特に、リモナイトが、吸収層に内包されることにより、使用中から使用後の廃棄処分に至るまでの長時間の間、吸収層によって吸収保持された体液等が発する複数種類の臭気成分を確実に除去することができる。【選択図】図１
2015077259.tif 000002
【特許請求の範囲】
【請求項１】
肌面側シートと非肌面側シートと両シート間に配置される吸収層とを備えた体液吸収体であって、両シート間にはさらにリモナイトが配置されていることを特徴とする体液吸収体。
【請求項２】
前記リモナイトは、吸収層に内包されていることを特徴とする請求項１の体液吸収体。
【請求項３】
前記リモナイトは、肌面側シートと吸収層との間、又は、吸収層と非肌面側シートとの間のいずれか一方又は両方に配置されていることを特徴とする請求項１又は２の体液吸収体。
【発明の詳細な説明】
【技術分野】
【０００１】
本発明は、使い捨ておむつやインナーパッド、生理用ナプキン等の着用物品に適用される体液吸収体に関し、さらに詳しくは、便や尿等の体液が発する臭気成分の消臭機能を有した体液吸収体に係るものである。
【背景技術】
【０００２】
従来から使い捨ておむつや生理用ナプキン等の着用物品には、着用者が排出する便や尿・経血等の体液を着用物品の外側へ漏れ出ないようにするために、体液等を吸収保持する吸収体が備え付けられている。しかし吸収体は、吸収保持する体液等に起因した臭気を放つため、使用中から使用後の廃棄処分に至るまでの間、着用者や介護者に対して不快な感覚を与えていた。
【０００３】
このような不快な臭気を消臭するために、裏面シートと透水性を有する表面シートとの間に配置された体液吸収性の吸収層に、コバルトフタルシアニン誘導体と亜鉛華とからなる消臭剤成分を備えた体液吸収性物品が知られている。
【先行技術文献】
【特許文献】
【０００４】
【特許文献１】特開２０００−９３４５３号公報
【発明の概要】
【発明が解決しようとする課題】
【０００５】
しかし、吸収層に保持された体液等が発する硫黄性臭気・酸性臭気・塩基性臭気等の複数種類の臭気成分に対して、コバルトフタルシアニン誘導体及び亜鉛華の２種類の消臭剤成分を必要とするため、材料コストが高くなるという問題があった。
【０００６】
そこで本発明は、材料コストを抑制するとともに、吸収保持された体液等が発する複数種類の臭気成分を効率よく除去して、優れた消臭効果を奏する体液吸収体を提供することを目的とする。
【課題を解決するための手段】
【０００７】
近年、環境浄化作用等に優れた潜在能力をもつ天然資源として、リモナイトが注目されている。リモナイトは、阿蘇山周辺の阿蘇黄土として産出される鉄鉱石（褐鉄鉱）であり、産出された状態の組成は不安定なものであるが、安定化する際に、様々な物質や臭気成分を吸着することが知られている。そのため、土壌改良剤・水質浄化剤・畜産飼料添加剤・ペット用健康補助剤等として利用されている。
【０００８】
本発明は、上述の課題を解決するために、肌面側シートと非肌面側シートと両シート間に配置される吸収層とを備えた体液吸収体であって、両シート間にはさらにリモナイトが配置されていることを特徴とするものである。
【０００９】
また本発明の体液吸収体は、リモナイトが、吸収層に内包されていることを特徴とするものである。
【００１０】
また本発明の体液吸収体は、リモナイトが、肌面側シートと吸収層との間、又は、吸収層と非肌面側シートとの間のいずれか一方又は両方に配置されていることを特徴とするものである。
【発明の効果】
【００１１】
本発明は上記のように構成され作用することから、複数の消臭剤成分を必要とすることなく、吸収保持された体液等が発する複数種類の臭気成分を効率よく除去できるという効果を奏する。また、複数の消臭剤成分を必要とすることなく、吸収層を挟持する肌面側シートと非肌面側シートとの間にリモナイトを配置するのみなので、材料コストを抑制することができる。
【００１２】
また本発明は、リモナイトが、吸収層に内包されることにより、使用中から使用後の廃棄処分に至るまでの長時間の間、吸収層によって吸収保持された体液等が発する複数種類の臭気成分を確実に除去することができる。
【００１３】
また本発明は、リモナイトが、肌面側シートと吸収層との間、又は、吸収層と非肌面側シートとの間のいずれか一方又は両方に配置されていることにより、吸収保持された体液等の発する臭気成分が肌面側又は非肌面側から発散するのを効果的に防止できる。さらに、リモナイトが、硫化水素やアンモニア等の臭気成分の吸着により変色する場合、インジケーターとして体液吸収体の肌面側又は非肌面側から容易に視認できるため、体液吸収体の交換時期を容易に認識することができる。
【発明を実施するための形態】
【００１４】
以下、本発明の実施の形態を図面に基づき説明する。
本実施の形態では、使い捨ておむつの内側に備えて使用するインナーパッドを一例として説明する。図１は、本実施の形態における体液吸収体の平面図であり、図２は、図１のＡ−Ａ線における断面図である。
【００１５】
図１及び図２に示すように、インナーパッド（１）は、着用者との肌面側に設けられる肌面側シート（２）と、着用者との非肌面側に設けられる非肌面側シート（４）と、これら両シート（２、４）間に配置される吸収層（３）とからなり、吸収層（３）の周辺領域において両シート（２、４）同士が接合されることにより構成されている。なお接合手段としては、ホットメルト接着剤、熱溶着等いずれであってもよい。
【００１６】
肌面側シート（２）は、尿や経血等の体液を吸収層（３）へ向けて透過させるものであればよく、有孔または無孔の不織布や、多孔性樹脂シート、綿、絹等が用いられる。また、肌面側シート（２）としては、一つの部材から構成されても、複数の部材から構成されてもよい。本実施形態の肌面側シート（２）としては、液透過性のトップシート（２ａ）の両側縁に、一対の防漏シート（２ｂ）の幅方向外側縁を接合して構成された複合シートを採用している。なお、防漏シート（２ｂ）の幅方向内側縁には、製品長手方向に延びる弾性部材（ＥＬ）が伸長状態で配設され、立体ギャザーとして機能してもよい。
【００１７】
非肌面側シート（４）は、インナーパッド（１）を透過するように体液等を使い捨ておむつに誘導する場合は、液透過性のシートが好ましく、不織布等が用いられる。一方、インナーパッド（１）の吸収容量を十分に満たしてから漏出するように体液等を使い捨ておむつに誘導する場合は、液不透過性のシートが好ましく、ポリエチレン等の液不透過性を有する微多孔性シートや疎水性不織布等が用いられる。本実施形態の非肌面側シート（４）としては、液不透過性のポリエチレンフィルムを採用している。
【００１８】
吸収層（３）は、軟便の水様成分や、尿や経血等の体液を吸収するものであり、綿やエアレイド不織布、粉砕パルプを集積・成型した吸収性素材、超吸収性ポリマー（ＳＡＰ：Ｓｕｐｅｒ  Ａｂｓｏｒｂｅｎｔ  Ｐｏｌｙｍｅｒ）、又は、これらを組み合わせて成型したものからなる。
【００１９】
本実施形態の吸収層（３）は、公知の方法（特表平０９−５０３６９１）を用いて成型することができる。すなわち、成型ポケットを有する回転ドラム内部を吸引し、ダクトを通じて粉砕パルプを成型ポケット内に導き、成型ポケット内で粉砕パルプを吸引保持することで、所定形状の吸収層（３）に成型することができる。
【００２０】
この時、ダクト内部に向けて供給されるＳＡＰとともに、又は、ＳＡＰに替えて、リモナイト（ＬＭ）を供給することにより、リモナイト（ＬＭ）が内包された吸収層（３）を得ることができる。吸収層（３）は、肌面側シート（２）と非肌面側シート（４）との間に配置され、吸収層（３）の周辺領域において両シート（２、４）が接合されることにより、本発明にかかるインナーパッド（１）を得ることができる。なお、リモナイト（ＬＭ）はいかなる形態であってもよく、棒状やシート状等に加工された形態であってもよいが、吸収層（３）に内包されるように供給するためには粉状体又は粒状体が好ましい。
【００２１】
本実施形態のインナーパッド（１）によれば、肌面側シート（２）と非肌面側シート（４）との間で挟持されている吸収層（３）にリモナイト（ＬＭ）が内包されているため、複数の消臭剤成分を必要とすることなく、吸収保持された体液等が発する硫化水素やアンモニア等の複数種類の臭気成分を効率よく除去できる。特に、リモナイト（ＬＭ）が、吸収層（３）に内包されることにより、使用中から使用後の廃棄処分に至るまでの長時間の間、吸収層（３）によって吸収保持された体液等が発する複数種類の臭気成分を確実に除去することができる。また、複数の消臭剤成分を必要とすることなく、吸収層（３）を挟持する肌面側シート（２）と非肌面側シート（４）との間にリモナイト（ＬＭ）を配置するのみなので、材料コストを抑制することができる。
【００２２】
なお、リモナイト（ＬＭ）が配置される位置としては、肌面側シート（２）と非肌面側シート（４）との間であればいずれでもよく、吸収層（３）に内包する場合に限定されない。つまり、肌面側シート（２）と吸収層（３）との間にリモナイト（ＬＭ）を配置してもよく、又、吸収層（３）と非肌面側シート（４）との間にリモナイト（ＬＭ）を配置してもよい。
【００２３】
この場合、吸収層（３）によって吸収保持された体液等の発する臭気成分が、肌面側又は非肌面側から発散するのを効果的に防止できる。さらに、リモナイト（ＬＭ）が、硫化水素やアンモニア等の臭気成分の吸着により変色する場合、インジケーターとしてインナーパッド（１）の肌面側又は非肌面側から容易に視認できるため、インナーパッド（１）の交換時期を容易に認識することができる。
【００２４】
なお本発明にかかる体液吸収体は、以上の実施形態に限定されるものではなく、テープ式使い捨ておむつや使い捨てパンツ、生理用ナプキン等の使い捨て着用物品の吸収体として適用してもよい。
【図面の簡単な説明】
【００２５】
【図１】本発明にかかるインナーパッドの平面図である。
【図２】図１のＡ−Ａ線における断面図である。
【符号の説明】
【００２６】
１    体液吸収体
２    肌面側シート
２ａ  トップシート
２ｂ  防漏シート
３    吸収層
４    非肌面側シート
ＬＭ  リモナイト
【図１】
2015077259.tif 000003
【図２】
2015077259.tif 000004